(57)【要約】      （修正有）【課題】エンブレムの表面に光を投射し、エンブレムをより際立たせる効果を形成して高貴な雰囲気をかもし出し、一般の光線が不足している時間や場所でも高貴な製品の風格を表現し、優良ブランドの評判を高めることができる、自動車用エンブレムの構造を提供する。【解決手段】自動車用エンブレムの構造は、エンブレム１０を含み、その下方または片側に透光体２０が設置され、透光体２０内部に光源体３０が設けられ、給電ユニット５０と光源体３０が相互に接続され、通電されると、透光体２０から光線が射出され、エンブレム１０の表面に投射されてエンブレム１０をより際立たせ、エンブレム１０を目立たせる効果を発揮する。【選択図】図１
0003147452.tif 000002
【実用新案登録請求の範囲】
【請求項１】
少なくともエンブレムと、内部に収容空間が設けられ、且つ前記収容空間に少なくとも１つの光源体が設置された透光体と、前記光源体と相互に接続された給電ユニットを含んで成ることを特徴とする、自動車用エンブレムの構造。        
【請求項２】
前記エンブレムが立体的造形の構造であることを特徴とする、請求項１に記載の自動車用エンブレムの構造。
【請求項３】
前記エンブレムがプレート状の構造であることを特徴とする、請求項１に記載の自動車用エンブレムの構造。        
【請求項４】
前記エンブレムが、金属、プラスチックアクリル、セラミック等の材料から成ることを特徴とする、請求項１に記載の自動車用エンブレムの構造。
【請求項５】
前記エンブレムが透かしの入ったプレート体であり、且つ、前記透光体が前記プレート体と同じまたは類似の構造体として形成されることを特徴とする、請求項１に記載の自動車用エンブレムの構造。      
【請求項６】
前記光源体がＬＥＤランプであることを特徴とする、請求項１に記載の自動車用エンブレムの構造。
【請求項７】
前記透光体内部に光源体の点灯と消灯を制御するIC制御部材を設けたことを特徴とする、請求項１に記載の自動車用エンブレムの構造。        
【請求項８】
前記透光体の収容空間が側面から凹設されて成ることを特徴とする、請求項１に記載の自動車用エンブレムの構造。
【請求項９】
前記透光体の収容空間が底面から上に向かって凹設されて成ることを特徴とする、請求項１に記載の自動車用エンブレムの構造。        
【請求項１０】
前記透光体の下方に座体が封設されることを特徴とする、請求項１に記載の自動車用エンブレムの構造。
【請求項１１】
前記透光体に電池槽を設けたことを特徴とする、請求項１に記載の自動車用エンブレムの構造。        
【請求項１２】
前記光源体がカラーランプであることを特徴とする、請求項１に記載の自動車用エンブレムの構造。
【請求項１３】
前記透光体そのものが淡色系の色彩を有することを特徴とする、請求項１に記載の自動車用エンブレムの構造。          
【請求項１４】
前記透光体がエンブレムの片側に設置されることを特徴とする、請求項１に記載の自動車用エンブレムの構造。
【考案の詳細な説明】
【技術分野】
【０００１】
本考案は発光効果を備えた自動車用エンブレムの構造に関し、夜間または光線が弱いときにブランドを際立たせる効果を発揮する、自動車用エンブレムの構造に関する。
【背景技術】
【０００２】  現在、人々の評価が高い製品は、多くが自己ブランドのエンブレムを備えており、特に、車両（自動車またはオートバイを問わず）は優良なブランドがある製品であり、前記製品に優れた性能の保証を具備させるため、自動車についていえば、現在世界的に有名なブランドである（公序良俗違反につき、不掲載）等多くの車両にとってエンブレムはブランドの魂であり、揺ぎない地位を持っている。【０００３】
しかしながら、「エンブレムはブランドの魂」であるものの、一般的な車両のエンブレムは特別な設計を経ておらず、ほとんどが単に一塊の平面または立体的な彫刻物或いは透かしの入ったプレートであり、字形上にデザインが施されてはいるが、ほとんどが充分な光線があり、且つ視線が良好な場所でしかその製品を際立たせることはできず、日光が弱い（例えば夜間や地下駐車場など）、または距離が遠いとき、一般的なエンブレムが製品を表現できる効果には限りがあり、これが既有のエンブレムの欠点となっている。
【０００４】
このほか、エンブレムそのものに輝きが足りない場合、多くの視線を引き付けたり、大衆の注意を引いたりすることはできず、これはエンブレムの機能が充分でないためであり、より優れた自動車用エンブレムを設計することができれば、既有のブランド製品の優れた品質をより際立たせることができ、またそのものもより目を引くことができるようになるが、現在そのような製品はまだ設計されていない。
【０００５】
このため、この類の製品の設計は、各種ブランドすべてに適用できる必要があり、これは細部にわたる考慮が必要であるが、工夫を凝らした構造でその目標を達成することができる。
【考案の開示】
【考案が解決しようとする課題】
【０００６】
本考案の目的は、エンブレムの下方に透光体を設置し、前記透光体内部に光源体を設け、さらに給電ユニットと光源体を相互に接続し、通電されると透光体から光線が射出され、且つエンブレムの表面に投射されて、エンブレムをより際立たせる効果を形成し、特に高貴な雰囲気をかもし出し、一般の光線が不足している時刻や場所でも高貴な製品の風格を表現し、優良ブランドの評判を高めることができる、自動車用エンブレムの構造を提供することにある。          
【課題を解決するための手段】
【０００７】
本考案の自動車用エンブレムの構造は、少なくともエンブレムと、内部に収容空間が設けられ、且つ前記収容空間に少なくとも１つの光源体が設置された透光体と、前記光源体と相互に接続された給電ユニットを含んで成ることを特徴とする。
【考案を実施するための最良の形態】
【０００８】
以下、本考案の内容についてより理解を促すため、図面に基づき詳細に説明する。
【０００９】
図１、図２、図３に示すように、本考案の自動車用エンブレムの構造は少なくとも次を含んで構成される。
【００１０】
エンブレム１０は、その構造を立体的造形とするか、プレート上のエンブレムとすることができ、各メーカーによって決定される。但し、本考案の説明をより明瞭にできるようにするため、本考案の図面においては現在の各種有名自動車ブランドのエンブレムを例として示す。前記エンブレム１０は金属、プラスチック（アクリル）、セラミック等の材料とすることができる。
【００１１】  透光体２０は、少なくとも半透明の材料から成り、その形状はあらゆる形状の塊状体とすることができ、例えば円形、楕円形、方形、多辺形、不規則な雲状体、幾何形状等とすることができる。エンブレム１０を透かしの入ったプレート透かしの入ったプレートの構造とする場合、例えば、（公序良俗違反につき、不掲載）の円枠の中に放射状の棒体が形成されたものや、（公序良俗違反につき、不掲載）の円枠の中に（公序良俗違反につき、不掲載）の字形が形成されたもの、或いは（公序良俗違反につき、不掲載）の円枠の中に「L」字に似た形状を設けた構造体とするとき、前記透光体２０も同じまたは類似の相対する構造体として形成することができる。前記透光体２０内に収容空間２１を設け、必要に応じて少なくとも１つの光源体３０を設置することができ、ＬＥＤランプ管を最良とするが、複数の光源体３０を設置することもできる。同時に、透光体２０は淡色系の色彩を有する半透明体としてもよく、光源体３０も各種異なる色彩の光源とすることができる。【００１２】
透光体２０の収容空間２１は本図に示すように、下から上へと設置しても、側面から孔を設けてもよく、いずれも本考案の範疇に属するものとする。
【００１３】
透光体２０は電線類の給電ユニット５０が設置され、電源に接続して光源体３０の電力を供給する。
【００１４】
座体４０は透光体２０の下方に閉じ合わされ、内部の光源体３０が抜け落ちないようにする。
【００１５】
図４に示すように、本考案の別の変化構造は、前記エンブレム１００及び透光体２００等に若干の変化があるが、技術的重点は変わらないため、本考案の範囲に属する。
【００１６】
本考案の使用時は、図５に示すように、透光体２０の内部から光線が射出され、光線（或いはカラー光）がエンブレム１０の表面に投射されてより輝きを際立たせる効果を発揮し、特に華麗な雰囲気をかもし出し、一般の光線が不足している時刻や場所でもその高貴な製品の風格、即ち評判の高いブランドが有する誇りを表現することができ、本考案の設計目的を達することができる。
【００１７】
このほか、本考案の図１は透光体をエンブレムの下方に設けているが、必要であれば、前記透光体をエンブレムの片側に設置し、光源体をエンブレムに向け光線を投射させてもよく、これも本考案の範疇に含まれるものとする。
【００１８】
本考案の設計には工夫があるため、実施において光線不足の時刻または場所でも製品のブランドをより際立たせることができ、一般の従来のエンブレムでは達することのできない効果が得られるため、本考案は進歩性を備えており、同時に、産業的利用価値も具備している。また、本考案は出願前に公開されたことがなく、新規性を備えているため、実用新案登録出願の要件を満たしている。
【００１９】
本考案の考案者は進歩を追求する積極的な態度で、開発と努力を続け、ついに本製品の開発に至ったものであり、実用的利点を備えているため、実用新案登録出願の要件を満たしており、ここに出願を提出するものである。
【図面の簡単な説明】
【００２０】
【図１】本考案の立体分解図である。
【図２】本考案の立体外観図である。
【図３】本考案の断面図である。
【図４】本考案の別の実施例の断面図である。
【図５】本考案の使用時の状態を示す立体外観図である。
【符号の説明】
【００２１】
１０      エンブレム
１００    エンブレム
２０      透光体
２００    透光体
２１      収容空間
３０      光源体
４０      座体
５０      給電ユニット
【図１】
0003147452.tif 000003
【図２】
0003147452.tif 000004
【図３】
0003147452.tif 000005
【図４】
0003147452.tif 000006
【図５】
0003147452.tif 000007
【手続補正書】
【提出日】平成20年6月27日(2008.6.27)
【手続補正１】
【補正対象書類名】実用新案登録請求の範囲
【補正対象項目名】全文
【補正方法】変更
【補正の内容】
【実用新案登録請求の範囲】
【請求項１】
所望の形状に形成したエンブレムと、該エンブレムの裏面に内部に収容空間が設けられ、前記収容空間に給電ユニットから送電される光源体を収容した前記エンブレムと近似する形状に形成した透光体と一体物として構成としたことを特徴とする自動車の車体に取付ける発光装置付エンブレム。        
【請求項２】
前記エンブレムが、金属、プラスチックアクリル、セラミック等の材料から成ることを特徴とする請求項１に記載の自動車の車体に取付ける発光装置付エンブレム。
【請求項３】
前記エンブレムが透かしの入ったプレート体の構造体として形成されることを特徴とする請求項１に記載の自動車の車体に取付ける発光装置付エンブレム。
【請求項４】
前記光源体がＬＥＤランプであることを特徴とする請求項１に記載の自動車の車体に取付ける発光装置付エンブレム。
【請求項５】
前記透光体内部に光源体の点灯と消灯を制御するIC制御部材を設けたことを特徴とする請求項１に記載の自動車の車体に取付ける発光装置付エンブレム。  
【請求項６】
前記透光体の収容空間が側面から凹設されて成ることを特徴とする請求項１に記載の自動車の車体に取付ける発光装置付エンブレム。
【請求項７】
前記透光体の収容空間が底面から上に向かって凹設されて成ることを特徴とする請求項１に記載の自動車の車体に取付ける発光装置付エンブレム。        
【請求項８】
前記透光体の下方に座体が配設されることを特徴とする請求項１に記載の自動車の車体に取付ける発光装置付エンブレム。
【請求項９】
前記透光体に電池槽を設けたことを特徴とする請求項１に記載の自動車の車体に取付ける発光装置付エンブレム
【請求項１０】
前記光源体がカラーランプであることを特徴とする請求項１に記載の自動車の車体に取付ける発光装置付エンブレム。
【請求項１１】
前記透光体そのものが淡色系の色彩を有することを特徴とする請求項１に記載の自動車の車体に取付ける発光装置付エンブレム  
【手続補正書】
【提出日】平成20年10月31日(2008.10.31)
【手続補正１】
【補正対象書類名】明細書
【補正対象項目名】０００２
【補正方法】変更
【補正の内容】
【０００２】
現在、人々の評価が高い製品は、多くが自己ブランドのエンブレムを備えており、特に、車両（自動車またはオートバイを問わず）は優良なブランドがある製品であり、前記製品に優れた性能の保証を具備させるため、自動車についていえば、現在世界的に有名な多くの車両にとってエンブレムはブランドの魂であり、揺ぎない地位を持っている。 
【手続補正２】
【補正対象書類名】明細書
【補正対象項目名】００１１
【補正方法】変更
【補正の内容】
【００１１】
エンブレム１０を透光体２０の構造とするときは、少なくとも半透明の材料から成り、その形状はあらゆる形状の塊状体とすることができ、例えば円形、楕円形、方形、多辺形、不規則な雲状体、幾何形状等とすることができる。エンブレム１０を透かしの入ったプレートの構造とする場合、前記透光体２０も同じまたは類似の相対する構造体として形成することができる。前記透光体２０内に収容空間２１を設け、必要に応じて少なくとも１つの光源体３０を設置することができ、ＬＥＤランプ管を最良とするが、複数の光源体３０を設置することもできる。同時に、透光体２０は淡色系の色彩を有する半透明体としてもよく、光源体３０も各種異なる色彩の光源とすることができる。 
【手続補正３】
【補正対象書類名】図面
【補正対象項目名】図１
【補正方法】変更
【補正の内容】
【図１】
0003147452.tif 000008
【手続補正４】
【補正対象書類名】図面
【補正対象項目名】図２
【補正方法】変更
【補正の内容】
【図２】
0003147452.tif 000009
【手続補正５】
【補正対象書類名】図面
【補正対象項目名】図５
【補正方法】変更
【補正の内容】
【図５】
0003147452.tif 000010